(57)【要約】      （修正有）【課題】携帯電話や財布、鍵などの貴重品を入れるため、肩の上に装着して使用する着脱可能な簡易固定式肩載小鞄を提供する。【解決手段】機能上もしくはデザイン上、片方の肩だけでなく両方の肩に付けることも出来る。肩載小鞄の一部に金属の輪を取り付けることで、鍵や装飾品をぶら下げることが出来る。また、その位置はファスナーのハンドルフックや肩載小鞄の角や小口面等に固定装備することも可能である。肩から出る汗で肩載小鞄内部が湿らないように、肩載小鞄の底面にはビニール系素材を使用して、肩載小鞄に収納した小物が濡れないように設計してある。本品は従来の和洋服上衣に取り付けることの出来る「取付式」と、和洋服上衣と肩載小鞄が当初から組み合わされて作られた「一体式」の二通りがあり、使用者が選択できる。但し、「一体式」も小鞄を自由に取り外すことが出来る設計になっている。【選択図】図２ａ
0003173769.tif 000002
【実用新案登録請求の範囲】
【請求項１】
布状材料で先端が３角形の頂点の形状（ハ）で、他端もほぼ同様の形状の固定ベルト部と、そのほぼ中央部に貴重品などを入れられる袋状の収納部（ロ）を設け、前記収納部が衣類のほぼ肩の頭頂面位置に配置される様にした事が特徴である肩載小鞄。
【請求項２】
請求項１において、前記収納部にはファスナー部（ニ）とその線上周囲に伸縮可能なマチ部（ヘ）を有し、前記布状材料の前記収納部下部裏面付近にマジックテープ（ホ）を配置した事が特徴の肩載小鞄。
【請求項３】
両方の肩部に収納部を設け、前記固定ベルト部が首を挟んでＶ字型とした事が特徴である肩載小鞄（図２ｂ）。
【請求項４】
前記収納部に、付属品を取り付けるリング部材（ト）や電線用穴部（チ）を設けた事が特徴の請求項１〜３の肩載小鞄。
【請求項５】
前記収納部の表面材料が撥水や防水加工されていることが特徴の請求項１〜４の肩載小鞄。
【考案の詳細な説明】
【技術分野】
【０００１】  本考案は、人体の肩頭頂部に取り付ける小鞄であり、手放しで貴重品等を所持できる従来の産業分野にはない、画期的な考案である。
【背景技術】
【０００２】  肩掛け帯滑り止め袋（図４）は、肩掛け鞄を滑り落ちないようにするための袋である。【０００３】  従来の携帯電話用ホルダー（図５）は携帯電話を違和感のない状態で身体に保持させ得る携帯電話ホルダーである。
【先行技術文献】
【特許文献】
【０００４】  従来、肩掛け帯滑り止め袋が知られている（図４）。この袋は肩掛け鞄の帯が滑り落ちないように肩部の上着とシャツの間に、ハーブを入れた袋を置き肩部に盛り上がりを作りそれによって鞄の帯が滑り落ちることがない肩掛け帯滑り止め袋である。【０００５】  携帯電話用ホルダー（図５）は携帯電話を携帯するための専用ホルダーである。
【特許文献１】特開平１０−２６２７２２
【特許文献２】第３０１０２３４号
【考案の概要】
【考案が解決しようとする課題】
【０００６】  従来、外出時に携行する貴重品（携帯電話、財布、鍵、キャッシュカード、クレジットカード、会員証、献血カード、キャンディ、チューインガム、煙草、眼鏡、サングラス、時計、ハンカチ、小銭、メモ帳、筆記用具、薬、アクセサリー、ＧＰＳ機能付き電波発信機等）を鞄や上衣又はズボンのポケット等に収納して持ち歩いているが、必要以上に鞄を持ち歩き、又は衣類のポケットをふくらませて、不格好な形態で外出する等の仕方なく行っている場合が多い。
【課題を解決するための手段】
【０００７】  上衣一体型肩載小鞄は上衣と一体になった肩頭頂部に小鞄又は袋を載せて簡易固定し、貴重品や必需品等の様々な小物を入れて携帯するものである。和洋服上衣全般（セーター、カーディガン、ポロシャツ、ティーシャツ、ジャケット、ジャンパー、ベスト、オーバーコート、レインコート、運動服、運動用上衣、作業服、作業用上衣、つなぎ服、背広服、背広上衣、ワイシャツ、ワンピース、ツーピース等）を着用時にも使用できる「上衣一体型肩載小鞄」である。
【考案の効果】
【０００８】  貴重品小物を上衣一体型肩載小鞄」に収納して外出できるので、両手が自由に使えるため、転んだときにも安全である。また、陸上スポーツや、ダンス、音楽活動等においても有効的であり、肩載小鞄に防水容器や防水袋を使用して貴重品小物を収納することで、水上スポーツにも有効的である。従来、上衣やズボンのポケットに貴重品小物を入れておくと、被服地の劣化が早いが、本品は収納物の重量が分散され、かつ絶えず手で触れることもないので、その心配がない。いつも貴重品小物を肩載小鞄に収納していれば、地震や災害の避難時に素早く行動が出来て有効的である。肩部分に貴重品を収納するため、たとえ転んだときにも、両手が使えるためとっさの対応がきき、肩頂部が直接的に衝撃を受けるような状況は少なく、収納物の破損も最小限に抑えられる。また、防犯上も安全である。
肩に対して何かの衝撃があった場合、肩載小鞄の厚みや収納物による衝撃吸収がされることで、怪我をする確率が低くなる。肩載小鞄に香水やコロン、フローラルハーブのアロマオイルを染みこませたり、既存のアロマオイルカードやアロマ袋等を収納したりしておくことで、心身の健康維持が出来、精神的なリラックスが出来る。両肩用肩載小鞄各々に、市販の小型スピーカーを取付け、携帯電話や携帯音楽プレーヤーの音楽を出し、個人的に楽しむことが出来る。
【図面の簡単な説明】
【０００９】
【図１ａ】は「上衣一体型肩載小鞄」の前面立体図である。
【図１ｂ】は後面立体図である。
【図１ｃ】は薄型タイプの前面立体図である。
【図２ａ】は片方の肩へ取り付ける際の取付図である。
【図２ｂ】は両方の肩へ取り付ける際の取付図である。
【図３ａ】は上面図である。
【図３ｂ】は下面図である。
【図４】は特許文献１の特開平１０−２６２７２２図面である。
【図５】は特許文献２の第３０１０２３４号図面である。
【産業上の利用可能性】
【００１０】  使用者が希望する独自のデザインを受注し製造することで、独創的で使用者の好みにあった上衣一体型肩載小鞄を作ることが出来る。携帯電話や携帯音楽プレーヤーを入れて使う場合には、肩載小鞄から耳までの距離が短いため、イヤホーンを使用する場合は専用の電線用穴（チ）が空いており、電線が邪魔にならず、見た目がシンプルで使いやすい。携帯電話を入れて使う場合には、肩載小鞄から耳までの距離が短いため、着信音を大きく設定しなくても良く聞こえる。上衣を含む全体のデザインとして装着するため、肩載小鞄の形状、素材、色、絵柄、大きさが自由に製造することが可能であり、産業上普遍的なデザインが可能になる。肩載小鞄にＧＰＳ機能付き電波発信機を入れておくと、子供や認知症などの障害者が単独で外出するときに、どこかに置き忘れたり失ったりすることがなく、安心して外出させられ、行方不明になる心配がない。貴重品小物が収納出来て両手が使用できるため、陸上スポーツウエア（サッカー、野球、ソフトボール、テニス、ゴルフ、ジョギング、ランニング、ウォーキング、ボーリング、ラクロス、ゲートボール、ビリヤード、バドミントン、卓球、スキー、スノーボード、サイクリング、自転車競技、スケートボード、登山、ハイキング）や、ダンス、音楽活動等においても有効的である。また、肩載小鞄に防水容器や防水袋を使用して貴重品小物を収納することで、水上スポーツ（サーフィン、ウィンドサーフィン、ボディボード、カイトボード、水上スキー、釣り、スクーバダイビング、海水浴、カヌー、カヤック）等にも有効的である。携帯電話会社の消費者キャンペーンの景品として使用できる他、セキュリティ会社の集客キャンペーンの景品に使用できる。心臓病や糖尿病、喘息、てんかん、下痢、気管支炎等、緊急時の薬や行きつけの主治医連絡先等を入れておくと、いざというときに有効的であるため、患者服として有効利用できる。小型懐中電灯を取り付けると、停電時や手暗がり、夜の作業等に有効的である。
【符号の説明】
【００１１】（イ）上衣
（ホ）マジックテープ
（ロ）肩載小鞄
（ハ）固定ベルト
（ニ）ファスナー
（ヘ）マチ
（ト）リング
（チ）電線用穴
【図１ａ】
0003173769.tif 000003
【図１ｂ】
0003173769.tif 000004
【図１ｃ】
0003173769.tif 000005
【図２ａ】
0003173769.tif 000006
【図２ｂ】
0003173769.tif 000007
【図３ａ】
0003173769.tif 000008
【図３ｂ】
0003173769.tif 000009
【図４】
0003173769.tif 000010
【図５】
0003173769.tif 000011
【手続補正書】
【提出日】平成23年8月4日(2011.8.4)
【手続補正１】
【補正対象書類名】実用新案登録請求の範囲
【補正対象項目名】全文
【補正方法】変更
【補正の内容】
【実用新案登録請求の範囲】
【請求項１】
布状材料で先端が３角形の頂点の形状で、他端もほぼ同様の形状の固定ベルト部と、そのほぼ中央部に貴重品などを入れられる袋状の収納部（ロ）を設け、前記収納部を上衣のほぼ肩の頭頂面位置に取り付けた事が特徴である上衣一体型肩載小鞄。
【請求項２】
前記収納部（ロ）の一部の端面部に開閉可能なファスナー部（ニ）とその延長線上周囲に伸縮可能なマチ部（ヘ）を有し、上衣側の裏面の面ファスナー（ホ）−１に対応した位置に、前記固定ベルト部および収納部の面ファスナー（ホ）−２を配したことが特徴である請求項１に記載の上衣一体型肩載小鞄。
【請求項３】
両肩部の位置に複数の前記収納部（ロ）を設け、前記固定ベルト部が首を挟んでＶ字型とした事が特徴である請求項１または請求項２に記載の上衣一体型肩載小鞄。
【請求項４】
前記収納部（ロ）に、付属品を取り付けるリング部材（ト）や電線用穴部（チ）を設けた事が特徴の請求項１〜３のいずれか一項に記載の上衣一体型肩載小鞄。
【請求項５】
前記収納部（ロ）の表面材料が撥水や防水加工されていることが特徴の請求項１〜４のいずれか一項に記載の上衣一体型肩載小鞄。
【手続補正２】
【補正対象書類名】明細書
【補正対象項目名】００１１
【補正方法】変更
【補正の内容】
【００１１】（イ）上衣
（ロ）収納部
（ハ）固定ベルト
（ニ）ファスナー
（ホ）−１  上衣側の面ファスナー
（ホ）−２  肩載小鞄の裏側の面ファスナー
（ヘ）マチ
（ト）リング
（チ）電線用穴
【手続補正書】
【提出日】平成23年10月27日(2011.10.27)
【手続補正１】
【補正対象書類名】実用新案登録請求の範囲
【補正対象項目名】請求項２
【補正方法】変更
【補正の内容】
【請求項２】
前記収納部（ロ）の一部の端面部に開閉可能なファスナー部（ニ）とその延長線上周囲に伸縮可能なマチ部（ヘ）を有し、上衣側の面ファスナー（ホ）−１に対応した位置に、前記固定ベルト部および収納部の裏面の面ファスナー（ホ）−２を配したことが特徴である請求項１に記載の上衣一体型肩載小鞄。
【手続補正２】
【補正対象書類名】図面
【補正対象項目名】図２ａ
【補正方法】変更
【補正の内容】
【図２ａ】
0003173769.tif 000012
【手続補正３】
【補正対象書類名】図面
【補正対象項目名】図２ｂ
【補正方法】変更
【補正の内容】
【図２ｂ】
0003173769.tif 000013
【手続補正４】
【補正対象書類名】図面
【補正対象項目名】図３ｂ
【補正方法】変更
【補正の内容】
【図３ｂ】
0003173769.tif 000014